(57)【要約】【課題】気泡の残存がなく、きれいな表示画面を実現できる電子機器の表示パネル保護フィルムを提供すること。【解決手段】少なくともフィルム層と粘着層と表面コーティング層とを含んでなり、粘着層に溝を設けた、表示パネル保護フィルムが提供される。ここで、粘着層に形成される溝は、表示パネル保護フィルムの外周（縁端部）まで届かないように形成されることが好ましく、溝の深さは、粘着層の厚さの約半分程度の深さであることが好ましい。さらにまた、粘着層に形成される溝のパターンは、表示パネル保護フィルムの中心から保護フィルムの外周に向かって放射状に形成される形状のパターンが好ましい。【選択図】図１
2013218188.tif 000002
【特許請求の範囲】
【請求項１】
少なくともフィルム層と粘着層と表面コーティング層とを含んでなる表示パネル保護フィルムであって、該粘着層に溝を設けたことを特徴とする、表示パネル保護フィルム。
【請求項２】
前記粘着層に形成される前記溝は、前記表示パネル保護フィルムの外周（縁端部）まで届かないように形成されることを特徴とする、請求項１に記載の表示パネル保護フィルム。
【請求項３】
前記粘着層に形成される前記溝の深さは、前記粘着層の厚さの約半分程度の深さであることを特徴とする、請求項１または２に記載の表示パネル保護フィルム。
【請求項４】
前記粘着層に形成される前記溝のパターンは、前記表示パネル保護フィルムの中心から該保護フィルムの外周に向かって放射状に形成されることを特徴とする、請求項１乃至３のいずれか一項に記載の表示パネル保護フィルム。
【請求項５】
前記粘着層に形成される前記溝のパターンは、斜め方向で並行に形成されることを特徴とする、請求項１乃至３のいずれか一項に記載の表示パネル保護フィルム。
【発明の詳細な説明】
【技術分野】
【０００１】
本発明は、電子機器の表示パネル保護フィルムに関する。
【背景技術】
【０００２】
従来、携帯電話やスマートフォンをはじめとする携帯端末において、ユーザーが表示画面の傷付き、汚損を予防する目的で、市販の表面保護フィルムを貼り付けて使用する事例が多かったが、近年、スマートフォンの普及拡大により、表示画面が露出したままの携帯端末の比率が増大して、保護フィルムの使用率も大幅に上昇している。例えば、特許文献１〜５などが開示されている。
【０００３】
特許文献１には、タッチパネルの操作面への貼り付けが綺麗になされるためのフィルム本体の裏面にストライプ状の微粘着層部を有するタッチパネル用保護シートが開示されている。
【０００４】
特許文献２には、微粘着性の粘着剤を塗布することを採用した、液晶パネルを落下等の衝撃から保護するための液晶表示装置の保護シートが開示されている。
【０００５】
特許文献３には、加熱・加圧環境下に曝されても、被着体との間での浮きの発生を防止でき、優れた再剥離性で剥離できる、粘着剤層を有する表面保護フィルムないしシートが開示されている。
【０００６】
特許文献４には、テーパー型の溝と貫通孔を設けて、基材シート上に粘着剤層を有してなる大型粘着シートが開示されている。
【０００７】
特許文献５には、透明プラスチックシート基材の裏面周縁位置に沿って、再剥離性糊よりなる多数の貼り付け部が不連続に形成されてなる表示画面保護用シートが開示されている。
【先行技術文献】
【特許文献】
【０００８】
【特許文献１】特開２００９−１４６４４１号公報
【特許文献２】特開２００８−２３３６９３号公報
【特許文献３】特開２００６−１３０６７２号公報
【特許文献４】特開２００５−３３６２４９号公報
【特許文献５】実用新案登録第３１６３２３９号公報
【発明の概要】
【発明が解決しようとする課題】
【０００９】
なお、上記先行技術文献の各開示を、本書に引用をもって繰り込むものとする。以下の分析は、本発明の観点からなされたものである。
【００１０】
しかし、これら従来の保護フィルムでは、貼り付けた保護フィルムと携帯端末のスクリーンとの間に気泡が残存し、表示画面がきれいに見えないという問題点があり、需要者の要求を満たすには未だ不十分である。
【００１１】
例えば、特許文献１によると、ＰＥＴフィルム本体の裏面にストライプ状の微粘着層部を有する構成とし、保護シートをタッチパネル上に貼り付けるときに、微粘着層部がＰＥＴフィルム本体の全面に形成されている構成に比較して、気泡の発生及び異物の巻き込みは起き難いとあるが、この従来技術では、表示画面上に粘着層のある部分がストライプ状に形成されるため、表示画面の濃淡や屈折に差ができ、高精細な表示画面には不向きであるという問題点がある。
【００１２】
そこで、急速な進化を伴って発展するスマートフォンなどの表示画面が露出した電子機器のより一層の開発に対応するためには、さらなる改善が必要である。
【００１３】
したがって、本発明は、気泡の残存がなく、きれいな表示画面を実現できる電子機器の表示パネル保護フィルムを提供することを目的とする。
【課題を解決するための手段】
【００１４】
本発明の一視点において、少なくともフィルム層と粘着層と表面コーティング層とを含んでなり、該粘着層に溝を設けた、表示パネル保護フィルムが提供される。ここで、該粘着層に形成される該溝は、表示パネル保護フィルムの外周（縁端部）まで届かないように形成されることが好ましく、該溝の深さは、粘着層の厚さの約半分程度の深さであることが好ましい。さらにまた、該粘着層に形成される該溝のパターンは、表示パネル保護フィルムの中心から保護フィルムの外周に向かって放射状に形成される形状のパターン、または、斜め方向で並行に形成される形状のパターンであることが好ましい。
【発明の効果】
【００１５】
したがって、本発明によると、第一の効果は、保護フィルムを貼った状態でも、気泡の残存がなく、きれいで歪みのない表示画面を実現できることである。表示パネル保護フィルムの粘着層に溝が形成されているため、溝の方向に沿ってこすることで気泡を容易に押し出すことができ、かつ粘着層の弾力と流動性で溝の段差も埋まり、気泡や歪みのないクリアな表示が実現できる。
【００１６】
また、第二の効果は、粘着層に溝が形成されていることで、気泡を押し出して貼り付けた後は、吸盤と同様の効果が得られ、剥がれにくくなることであり、特に、この効果は、粘着層に形成された溝が表示パネル保護フィルムの外周（縁端部）まで届かないように形成されていることによる。溝の気泡および空気を押し出した後、もともと溝のあった部分は粘着層の樹脂の弾力と流動性によって埋められるが、この溝の部分の吸盤効果により、携帯端末のスクリーンないしパネルから剥がれにくい密着性を得ることができる。
【図面の簡単な説明】
【００１７】
【図１】本発明の表示パネル保護フィルムの一実施形態を粘着面側から見た概念図およびそのＡ−Ａ断面図である。
【図２】本発明の表示パネル保護フィルムの一実施形態を使用する際の形態および作用を示す図である。
【図３】本発明の表示パネル保護フィルムの一実施形態を使用する際の形態および作用を示す図である。
【図４】本発明の表示パネル保護フィルムの別の実施形態を示す図である。
【発明を実施するための形態】
【００１８】
以下に、本発明の一実施形態の概要について説明する。なお、この概要に付記する図面参照符号は、専ら理解を助けるための例示であり、本発明を図示の態様に限定することを意図するものではない。
【００１９】
本発明の一実施態様に係る表示パネル保護フィルムは、携帯端末の液晶表示パネルまたはタッチパネルの傷防止若しくは覗き見防止を目的に貼り付ける表示パネル保護フィルムであり、携帯端末の液晶表示パネルまたはタッチパネルに対する粘着層に溝を形成する構造であり、この溝が気泡の通り道となり、気泡の巻き込みを低減し、かつ気泡の押し出しを容易にして、貼り付け面に気泡を残存させないことを特徴とする。
【００２０】
このような表示パネル保護フィルムは、粘着層に形成された溝が表示パネル保護フィルムの外周（縁端部）まで届かないように形成されることで、表示パネル保護フィルムの外周からの気泡の逆流を防ぎ、さらに、携帯端末の液晶表示パネルまたはタッチパネルとの密着性が保持される吸盤効果が達成される。
【００２１】
また、このような表示パネル保護フィルムにおいて、上記同様、気泡を残存させず、吸盤効果が得られる形状であれば、特に限定されないが、粘着層に形成された溝の深さは、粘着層の厚さの約半分程度の深さであることが望ましい。これにより、気泡の巻き込みを低減し、かつ残存する気泡の押し出しを容易にさせる。また、溝自体の形状は、Ｕ字型、Ｖ型、半円形など任意の形状であってよく、その溝の深さが粘着層の厚さの約半分程度の深さであれば、溝自体の形状は特に限定されない。
【００２２】
さらにまた、このような表示パネル保護フィルムにおいて、粘着層に形成された溝は、気泡を残存させず、吸盤効果が得られる溝のパターンであれば、特に限定されないが、例えば、表示パネル保護フィルムの中心から放射状に形成される溝のパターンや、斜め方向に平行に形成されるパターン、または、縦若しくは横のパターン等であってよい。なかでも粘着層に形成された溝のパターンは、特に、表示パネル保護フィルムの中心から放射状に形成されるパターンであることが好ましい。残存した気泡を、このパターンの溝に沿って外側へ擦ることによって、残存した気泡を容易に押し出すことができる。また、表示パネル保護フィルムを携帯端末の液晶表示パネルまたはタッチパネルに貼り付ける際に、粘着層に形成された溝のパターンに沿って表面から押し付けることにより、溝は気泡を押し出すと同時に、粘着層の弾力と流動性で埋まり、歪みのない表示が実現される。
【００２３】
表示パネル保護フィルムの粘着層に溝を形成することで、気泡の通り道ができ、気泡を巻き込みにくくなり、さらに巻き込んだ気泡を押し出し易くすることができる。
【００２４】
なお、上記の実施形態の一部又は全部は、以下の形態のようにも記載され得るが、以下には限られない。
［形態１］第一の視点のとおり、少なくともフィルム層と粘着層と表面コーティング層とを含んでなる表示パネル保護フィルムであって、該粘着層に溝を設けている。
［形態２］前記粘着層に形成される前記溝は、前記表示パネル保護フィルムの外周（縁端部）まで届かないように形成されることが好ましい。
［形態３］前記粘着層に形成される前記溝の深さは、該粘着層の厚さの約半分程度の深さであることが好ましい。
［形態４］前記粘着層に形成される前記溝のパターンは、前記表示パネル保護フィルムの中心から該保護フィルムの外周に向かって放射状に形成されることが好ましい。
［形態５］前記粘着層に形成される前記溝のパターンは、斜め方向で並行に形成されることが好ましい。
【００２５】
以下、図面を参照して、本発明の一実施例を説明する。なお、以下の説明において、図面参照符号は発明の理解のために付記しているものであり、本発明を図示の態様に限定することを意図するものではない。
【実施例１】
【００２６】
図１に示すとおり、本発明の一実施例としての表示パネル保護フィルムは、ＰＥＴフィルム層１１、溝１４が形成された粘着層１２および表面コーティング層１３で構成された構成となっている。ここで、粘着層１２に形成された溝１４は、粘着層１２の中心から放射状に表示パネル保護フィルムの外周に向かったパターンで形成され、表示パネル保護フィルムの外周（縁端部）まで届かないように形成されており、また、粘着層１２に形成された溝１４は半円形型ないしＵ字型で、その深さは、粘着層の厚さの約半分程度の深さである。本実施例１では、このような構成の表示パネル保護フィルムによって、すなわち、粘着層１２に形成されている溝１４により、携帯端末の表示パネルに貼り付けした際に巻き込む気泡をフィルムの外へ押し出すことができる。
【００２７】
また、粘着層１２の溝１４は、携帯端末の表示パネルに貼り付けて気泡を押し出した後、表面を押し均すことで、粘着層１２の流動性と弾力により表示パネルのスクリーンと密着し、表示部の歪みや気泡の逆流は発生しない。ここで、気泡の逆流が発生しない理由は、粘着層１２に形成された溝１４が表示パネル保護フィルムの外周（縁端部）まで届かないように形成されているためである。さらにまた、粘着層１２は弾力性とある程度の流動性が付与されており、一定以上の圧力を加えることにより粘着層１２が押し潰され、かつ流動することで溝１４が埋まり、被着面との平坦性と密着性が確保される。
【００２８】
次に、上記構成の本実施例１の表示パネル保護フィルムを携帯端末の液晶表示パネルまたはタッチパネルに貼り付ける際の使用の形態およびその作用について説明する。
【００２９】
図２に示すように、本実施例１の表示パネル保護フィルム１０は、携帯端末２０のスクリーン部２１に位置が合うように貼り付けて使用するものである。その際、従来の表示パネル保護フィルムを貼り付ける際、図３に示すように、スクリーン部２１と表示パネル保護フィルム１０の間に気泡３１が巻き込まれ、表示部分に気泡３１が残存したままになってしまうことが多かった。
【００３０】
そこで、本実施例１の表示パネル保護フィルム１０では、図１および図３に示すように粘着層１２に溝１４が施されているため、残存した気泡３１を溝１４に沿って外側へ放射状に擦ることで、容易に気泡３１を押し出すことができる。また、溝１４に沿って表面から押し付けることにより、溝１４は気泡３１を押し出すと同時に、粘着層１２の弾力と流動性で埋まり、歪みのない表示が実現される。
【００３１】
ここで、粘着層１２に形成された溝１４が表示パネル保護フィルム１０の外周（縁端部）まで届かないように形成されているため、一旦気泡３１を押し出して、表示パネル保護フィルム１０外へ排出すれば、表示パネル保護フィルムの外周からの気泡の逆流を防ぎ、さらに、携帯端末の液晶表示パネルまたはタッチパネルとの密着性が保持される吸盤効果が達成され、スクリーン部２１から剥がれにくい密着性を得る。
【実施例２】
【００３２】
次に、本発明の他の実施例に係る表示パネル保護フィルムを説明する。なお、本実施例の表示パネル保護フィルムが、前記実施例に係る表示パネル保護フィルムと同様の構成および機能を有する点については、適宜、前記実施例の記載を参照するものとする。
【００３３】
図４を参照すると、粘着層１２に形成された溝１４は、斜め方向で並行に形成されている。この場合も図１乃至図３の例と同様に、斜め方向に気泡を押し出すことで同様の効果が得られる。さらに、溝１４のパターン形状や配置方向は、縦または横でも効果は同じである。
【産業上の利用可能性】
【００３４】
本発明は、表示部が露出している携帯電話機などの電子機器の表示部の保護に有効であり、特に、より一層の開発が追求されている、携帯電話端末機、スマートフォン、タブレット機器など、表示部が露出している携帯小型電子機器に利用可能である。
【００３５】
なお、上記の特許文献等の先行技術文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【００３６】
また、本発明のさらなる課題、目的及び展開形態は、請求の範囲を含む本発明の全開示事項からも明らかにされる。
【符号の説明】
【００３７】
１０      表示パネル保護フィルム
１１      ＰＥＴフィルム層
１２      粘着層
１３      表面コーティング層
１４      溝
２０      携帯端末
２１      スクリーン部
３１      気泡
【図１】
2013218188.tif 000003
【図２】
2013218188.tif 000004
【図３】
2013218188.tif 000005
【図４】
2013218188.tif 000006